(57)【要約】【課題】スプレー缶遠隔操作用の長柄において、スプレー缶の噴射ボタンの位置とプッシャーの位置関係が操作過程でずれずに正確に保たれることが最も重要である。【解決手段】スプレー缶を取り付ける長柄が外パイプと、外パイプより長い内パイプの二重パイプからなり、長手方向の一部にピン或いはキーと長穴からなるまわり止めを設け、左右の手で外パイプ及び内パイプのそれぞれを把持し、内パイプを長手方向へ摺動する操作によりスプレーの噴射ボタンの開閉を行う機構を具備したことを特徴とする。【選択図】図１
2016127808.tif 000002
【特許請求の範囲】
【請求項１】
スプレー缶を長柄の一端に取り付け、手元側の他端にて操作し噴射する高所スプレー補助具にあって、長柄が外パイプと、外パイプより長い内パイプの二重パイプからなり、内パイプにピン或いはキーを、外パイプに長穴を設け両者の回転を阻止し、左右の手で外パイプ及び内パイプのそれぞれを把持し、内パイプを長手方向へ摺動する操作によりスプレー缶の噴射ボタンの開閉を行う機構を具備したことを特徴とするスプレー缶遠隔操作具。
【請求項２】
外パイプにスプレー缶の保持部を、内パイプの先端にスプレー缶の噴射ボタンを押すプッシャーとプッシャ一位置調整機構を、設けた事を特徴とする請求項１に記載したスプレー缶遠隔操作具。
【請求項３】
内パイプの先端にスプレー缶をパイプの長手方向に縦置きに固定する保持部と、外パイプの先端部外周に取り付けられスプレー缶の外側を通るアームと、前記アームに連結するスプレー缶の噴射ボタンを押すプッシャーとプッシャー位置調整機構とを、設けたことを特徴とする請求項１に記載したスプレー缶遠隔操作具。
【発明の詳細な説明】
【技術分野】
【０００１】
本発明は、手が届かない高所の樹木に発生した毛虫等の害虫駆除するための薬剤入りスプレー缶、又は高所塗装を行うための塗料入りスプレー缶を、長柄の一端に取り付け、手元側他端にて遠隔操作するスプレー缶遠隔操作具に関するものである。
【背景技術】
【０００２】
特許文献１は、支柱の先端延長線上に上下に移動可能なスプレー缶保持台上にスプレー缶を、支柱にとりつけられスプレー缶の外側をまわしたアームに固定したノズルプッシャーと、スプレー缶保持台に連結し支柱の内をとおしたワイヤーから構成され、噴射は、ワイヤーの上下駆動により行われる。ワイヤーは両端にばねで常に引き合う構造となっている。
【０００３】
特許文献２は、専用のノズルとノズルキャップをスプレー缶にとりつけたスプレー缶ケースと、前記スプレー缶ケースを上下で把持する本体にセットし、更に本体のクリップに保持棒を取り付ける。噴射はノズルブロックに連結した紐を引っ張ることにより操作するものである。
【０００４】
特許文献３は、スプレー缶を縦置きに保持する保持部材と、前記保持部材の軸に直角に回転軸を有し先端がスプレー缶ノズルに接触する回動レバーと、保持部材に平行に配置したロッド又は紐から構成され、ロッド又は紐を上下させることにより操作するものである。
【０００５】
特許文献４は、支柱先端に取り付けたスプレー缶を、前記スプレー缶のノズルを開閉する可動レバーを、滑車を介して紐にて操作するものである。
上記特許文献１，２，４及び３の一例は、スプレー缶のノズルのプッシャーと把手部の連結を紐又はワイヤーにて行っている。この方法は、スプレー缶のノズル位置とプッシャーの位置を正確に整合させるためのスプレー缶の保持機構およびプッシャーの保持機構およびプッシャー部に回転軸及び軸受が必要となるため構造的に複雑になり、コスト的、取扱い性、重量的に問題がある。又、紐やワイヤーが絡まり、操作性が悪いという問題もある。
【先行技術文献】
【特許文献】
【０００６】
【特許文献１】特開２００４−８２０８６号公報
【特許文献２】特開２００１−１４５４５０号公報
【特許文献３】特開平７−２２２９４４号公報
【特許文献４】実開平７−３７５０号公報
【発明の開示】
【発明が解決しようとする課題】
【０００７】
スプレー缶の噴射ボタンを正確に押すためには、噴射ボタンの位置とプッシャーの位置関係が操作過程でずれずに正確に保たれることが最も重要である。プッシャー部と操作把手部の連結に紐或いはワイヤーを使用せず、できるだけシンプルで、取扱い性のよいスプレー缶遠隔操作具を実現する。
【課題を解決するための手段】
【０００８】
スプレー缶の噴射ボタンを正確に押すためには、噴射ボタンの位置とプッシャーの位置関係が操作過程でずれずに正確に保たれることが最も重要である。
第一の発明は、スプレー缶を長柄に取り付け遠隔操作にて噴射する補助具にあって、長柄が外パイプと、外パイプより長い内パイプの二重パイプからなり、長手方向の一部にピン或いはキーと長穴からなるまわり止めを設け、左右の手で外パイプ及び内パイプのそれぞれを把持し、内パイプを長手方向へ摺動する操作によりスプレーの噴射ボタンの開閉を行う機構を具備したことを特徴とするスプレー缶遠隔操作具である。
２重パイプで、かつまわり止めのガイドを具備しているため、内パイプと外パイプは、互いの位置関係を正確に保ったままスライドできる。又、紐、ワイヤーの様なたるみがないため絡みつき等のトラブルは皆無である。
【０００９】
第２の発明は、外パイプにスプレー缶の保持部を、内パイプに噴射ボタンを押すプッシャーとプッシャ一位置調整機構を、設けた事を特徴とする第１の発明に記載したスプレー缶遠隔操作具である。
スプレー缶は、上記保持部に固定される。又内パイプ先端に設けたプッシャーの先端は、あらかじめスプレー缶のノズルボタンの真上に来るよう調整固定される。左右の手で外パイプ及び内パイプのそれぞれを把持し、内パイプを長手方向へ摺動する操作によりスプレーの噴射ボタンの開閉を正確に行うことができる。
【００１０】
第３の発明は、内パイプの先端にスプレー缶を縦置きに固定する保持部と、外パイプの先端外周に取り付けられ、スプレー缶の外側を通るアームと連結する噴射ボタンを押すプッシャーとプッシャ一位置調整機構とを、設けたことを特徴とする第１の発明に記載したスプレー缶遠隔操作具である。
内パイプの先端に設けた保持部にスプレー缶を所定の噴射方向になるよう縦置きに固定し、外パイプの先端外周に取り付けられ、スプレー缶の外側を通るアームに連結する噴射ボタンを押すプッシャーの先端をあらかじめスプレー缶噴射ノズルボタンに真上に来るようプッシャーをプッシャ一位置調整機構にて調整固定する。
左右の手で外パイプ及び内パイプのそれぞれを把持し、内パイプを長手方向へ摺動する操作によりスプレーの噴射ボタンの開閉を正確に行うことができる。
【発明の効果】
【００１１】
スプレー缶の噴射ボタンを正確に押すためには、噴射ボタンの位置とプッシャーの位置関係が操作過程でずれずに正確に保たれることが最も重要である。２重パイプで、かつまわり止めのガイドを具備しているため内、外のパイプは、互いの位置関係を正確に保ったままスライドできる。又、紐、ワイヤーの様なたるみがないため絡みつき等のトラブルは皆無である。又、構造がシンプルであるため、製作が容易かつ製作費もやすく、故障も少なく極めて実用的である。害虫駆除の場合、近接した位置から噴射できるため、薬剤の無駄を軽減でき、環境を汚すことも少ない。
【発明を実施するための形態】
【００１２】
本発明の実施例１の正面図を図１に、平面図を図２に、図２のB-B断面図を図３に、実施例２の正面図を図４に、平面図を図５に、図５のB-B断面図を図６に示す。
【００１３】
本発明の実施例１について、図１から図３を使って以下に詳述する。
本発明に係るスプレー缶遠隔操作具は、図１から図３に示す様に長柄が内パイプ２と外パイプ３の二重パイプからなり、内パイプ２の先端にスプレー缶１３の噴射ボタン１８を押すプッシャ−４が、平面位置調整ネジ部５及びプッシャーバー１７を介して設けられている。又、プッシャー４は、高さ調整ネジ部６にて噴射ボタン１８との間隙を微調整できる構造となっている。
スプレー缶保持部７は外パイプ３に取り付けられる。又、内パイプ２と外パイプ３は、内パイプ２に取り付けられたガイドピン１０と、外パイプ３に設けられたガイド溝９にて長柄の軸に沿って正確に摺動できる。
外パイプ３から突き出た内パイプ２の下部には、把手部８が設けられ、外パイプ３を片方の手で固定し、もう一方の手で把手部８をもち、内パイプ２を摺動させることができる。
【００１４】
スプレー缶１３は、スプレー缶保持部７に格納され、スプレー缶押さえ１４にて固定される。図２に示す様にプッシャーバー１７は、平面位置調整ネジ部５により６０度以上回転できる。これによりスプレー缶１３はプッシャーバー１７に邪魔されず、縦方向から差し込める。又、プッシャー４と長柄軸中心との間隔は、プッシャーバー１７と平面位置調整ネジ部５にて調整できる。具体的には、平面位置調整ネジ部５のネジにて固定されるプッシャーバー１７の取り付け孔が長穴になっている。
スプレー缶１３装着後、先ずプッシャー４とスプレー缶１３の噴射ボタン１８の縦方向の間隙を１〜２ｃｍとなるようスプレー缶保持部７の縦位置を調整固定させる。
【００１５】
次にプッシャーバー１７と平面位置調整ネジ部５によりプッシャー４が、スプレー缶１３の噴射ボタン１８の真上にくる調整し、更に高さ調整ネジ部６により両者の間隔が数ｍｍになるように正確に調整し、各部を固定する。
【００１６】
尚、外パイプ３の上端には、内パイプ２を上方向へ押し上げるスプリング１１が設けられている。これによりプッシャー４とスプレー缶１３の噴射ボタン１８は、非操作時は接触せず常時閉となる。
使用方法は、外パイプ３を片方の手で、もう一方の手で把手部８をもちスプレー缶１３の噴射口を害虫等に近接させ、把手部８を下方向へ引くことにより、噴射することができる。
【００１７】
本発明の実施例２について、図４から図６を使って以下に詳述する。
本発明に係るスプレー缶遠隔操作具は、図４から図６に示す様に長柄が内パイプ２と外パイプ３の二重パイプからなり、外パイプ３にスプレー缶１３の噴射ボタン１８を押すプッシャ−４が、アーム１５と平面位置調整ネジ部５及びプッシャーバー１７を介して設けられている。又、プッシャー４は、高さ調整ネジ部６にて噴射ボタン１８との間隙を微調整できる構造となっている。
スプレー缶保持部７は内パイプ２の上端に取り付けられる。又、内パイプ２と外パイプ３は内パイプ２に取り付けられたガイドピン１０と外パイプ３に設けられたガイド溝９にて軸方向へ正確に摺動できる。
外パイプ３から突き出た内パイプ２の下部には、把手部８が設けられ、外パイプ３を片方の手で固定し、もう一方の手で把手部８をもち、内パイプ２を摺動させることができる。
【００１８】
スプレー缶１３は、スプレー缶保持部７に格納され、スプレー缶押さえ１４にて固定される。図２に示す様にプッシャー部４及びプッシャーバー１７は、平面位置調整ネジ部５により回転できる。プッシャーバー１７を例えば９０度回転することにより、スプレー缶１３はプッシャーバー１７及びプッシャー４と干渉せず、縦方向から差し込める。又、プッシャー４と噴射ボタン１８との平面位置関係は、プッシャーバー１７と平面位置調整ネジ部５にて調整できる。具体的には、平面位置調整ネジ部５のネジにて固定されるプッシャーアーム１７の取り付け孔が長穴になっている。
スプレー缶１３装着後、先ずプッシャー４とスプレー缶１３の噴射ボタン１８の間隙を１〜２ｃｍとなるようアーム固定部１６の縦位置を調整固定させる。次にプッシャーアーム１７と平面位置調整ネジ部５にてプッシャー４がスプレー缶１３の噴射ボタン１８の真上に位置するように調整し、最後にプッシャー４がスプレー缶１３の噴射ボタン１８の間隔が数ｍｍになるように正確に調整し、各部を固定する。
【００１９】
尚、内パイプ２の下端には、内パイプ２を外パイプ３に対して下方向へ押し下げるスプリング１１が設けられている。これによりプッシャー４とスプレー缶１３の噴射ボタン１８とは、非操作時は接触せず常時閉となる。
使用方法は、外パイプ３を片方の手で、もう一方の手で把手部８をもちスプレー缶１３の噴射口を害虫等に近接させ、把手部８を上方向へ押すことにより、噴射することができる。
【産業上の利用可能性】
【００２０】
庭木や建物の高所に発生した害虫駆除を、地上から簡便に行うスプレー缶遠隔操作具を提供できる。
【図面の簡単な説明】
【００２１】
【図１】実施例１の正面図である。
【図２】実施例１の平面図である。
【図３】図2のB-B断面図である。
【図４】実施例２の正面図である。
【図５】実施例２の平面図である。
【図６】図５のB-B断面図である。
【符号の説明】
【００２２】
１    本体
２    内パイプ
３    外パイプ
４    プッシャー
５    平面位置調整ネジ部
６    高さ調整ネジ部
７    スプレー缶保持部
８    把手部
９    ガイド溝
１０  ガイドピン
１１  スプリング
１２  作動方向
１３  スプレー缶
１４  スプレー缶押さえ
１５  アーム
１６  アーム固定部
１７  プッシャーバー
１８  噴射ボタン
【図１】
2016127808.tif 000003
【図２】
2016127808.tif 000004
【図３】
2016127808.tif 000005
【図４】
2016127808.tif 000006
【図５】
2016127808.tif 000007
【図６】
2016127808.tif 000008